(57)【要約】      （修正有）【課題】付け替えが容易で軽量で物品が収納可能なボトルキャップ用装飾体を提供する。【解決手段】ボトルキャップ用装飾体１０は、ボトルキャップ１の側壁外面に嵌合する嵌合筒部１１、上方に突出する装飾体部１２を備え、嵌合筒部の底から装飾体部の頂部まで連続する空所を備え、装飾体部と嵌合筒部との接続部分において嵌合筒部の上端面１１ａよりも内側へ入り込んだくびれ部１４を備える。ボトルキャップに嵌合装着した状態にあっては、少なくとも一つの水平面で見たとき、嵌合筒部の筒壁内面間の距離がボトルキャップの側壁外面間の距離に対して「小さくなる部分」が生じる様に、筒壁内面の全周に渡って直径方向に凹凸する凹凸模様１５を施す様に、ダイレクトブローによって一体成形品として製造され、透明性を有する合成樹脂を用いることで装飾体部に収納した物品による装飾性も発揮させる。【選択図】図１
0003228930.tif 000002
【実用新案登録請求の範囲】
【請求項１】
ボトルキャップに嵌合装着して用いる合成樹脂製の装飾体であって、以下の構成を備えていることを特徴とするボトルキャップ用装飾体。
（１Ａ）前記ボトルキャップの側壁外面に嵌合する嵌合筒部と、該嵌合筒部の上端面からさらに上方に突出する装飾体部と、を備えていること。
（１Ｂ）前記嵌合筒部の底から前記装飾体部の頂部まで連続する空所を備え、該空所は、前記装飾体部と前記嵌合筒部との接続部分において前記嵌合筒部の上端面よりも内側へ入り込んだくびれ部を有していること。
（１Ｃ）前記ボトルキャップに嵌合装着した状態にあっては、少なくとも一つの水平面で見たとき、前記嵌合筒部の筒壁内面間の距離が前記ボトルキャップの側壁外面間の距離よりも小さくなる部分が生じる様に、前記筒壁内面の全周に渡って直径方向に凹凸する凹凸模様が施されていること。
【請求項２】
さらに、以下の構成をも備えることを特徴とする請求項１に記載のボトルキャップ用装飾体。
（２）前記嵌合筒部及び装飾体部が、肉厚がほぼ一定となる様に構成されていること。
【請求項３】
さらに、以下の構成をも備えることを特徴とする請求項２に記載のボトルキャップ用装飾体。
（３）透明性を有する合成樹脂による一体成形品であること。
【考案の詳細な説明】
【技術分野】
【０００１】
本考案は、ボトルキャップに装飾を施すための技術に関する。
【背景技術】
【０００２】
従来、キャップ上面に固着したドーム内に透明液体を満たして動物模型を浮遊させる様にした飾りキャップ（特許文献１；図８（Ａ）参照）、マスコット取付部を上面に備えるアウターキャップをＰＥＴボトルのキャップの外側に嵌合させたマスコット付きキャップ（特許文献２；図８（Ｂ）参照）、キャップ部分をすっぽりと覆う被覆装飾部の内部にキャップに圧着状態で嵌合可能なキャップ形状の嵌合部を備え、外径が動物の形を象った象形物とされたボトル装飾体（特許文献３；図８（Ｃ））が知られている。
【先行技術文献】
【特許文献】
【０００３】
【特許文献１】実用新案登録第３０６６７０９号（図１）
【特許文献２】実用新案登録第３０５７０８２号（図１）
【特許文献３】実用新案登録第３１６２０７３号（図３）
【考案の概要】
【考案が解決しようとする課題】
【０００４】
これら従来技術における装飾体は単なる装飾であってそれ以上の機能、例えば、物品を出し入れ可能に収納したりする機能を備えていない。また、合成樹脂で製造する場合、射出成形品によることとなるためコスト高となったり、装飾体自体が重くなるといった問題もある。さらに、付け替えが容易でないという問題もある。
【０００５】
本考案は、付け替えが容易で軽量で物品の収納も可能なボトルキャップ用装飾体を提供することを目的とする。
【課題を解決するための手段】
【０００６】
上記目的を達成するためになされた本考案のボトルキャップ用装飾体は、ボトルキャップに嵌合装着して用いる合成樹脂製の装飾体であって、以下の構成を備えていることを特徴とする。
（１Ａ）前記ボトルキャップの側壁外面に嵌合する嵌合筒部と、該嵌合筒部の上端面からさらに上方に突出する装飾体部と、を備えていること。
（１Ｂ）前記嵌合筒部の底から前記装飾体部の頂部まで連続する空所を備え、該空所は、前記装飾体部と前記嵌合筒部との接続部分において前記嵌合筒部の上端面よりも内側へ入り込んだくびれ部を有していること。
（１Ｃ）前記ボトルキャップに嵌合装着した状態にあっては、少なくとも一つの水平面で見たとき、前記嵌合筒部の筒壁内面間の距離が前記ボトルキャップの側壁外面間の距離よりも小さくなる部分が生じる様に、前記筒壁内面の全周に渡って直径方向に凹凸する凹凸模様が施されていること。
【０００７】
本考案のボトルキャップ用装飾体は、嵌合筒部から装飾体部の頂部まで連続する空所の接続部分にくびれ部を備えさせたから、全体としての強度を高めつつ軽量化することができている。また、ボトルキャップに嵌合装着した状態にあっては、少なくとも一つの水平面で見たとき、嵌合筒部の筒壁内面間の距離がボトルキャップの側壁外面間の距離よりも小さくなる様に、筒壁内面の全周に渡って直径方向に凹凸する凹凸模様が施されているから、ボトルキャップに対してしっかりと嵌合させた状態に装着することができる。その一方、嵌合筒部はボトルキャップの側壁外面に対して上述の寸法差によって周方向に伸ばそうとする力に対する反力をもって嵌合されただけであるから、これを取り外し、他の装飾体へと容易に付け替えることができる。また、くびれ部から頂部までの間の空所には物品を収納することができる。
【０００８】
ここで、本考案のボトルキャップ用装飾体は、さらに、以下の構成をも備えたものとすることができる。
（２）前記嵌合筒部及び装飾体部が、肉厚がほぼ一定となる様に構成されていること。
【０００９】
かかる構成をも備えさせることにより、ブロー成形による一体成形が可能となり、その結果、装飾体部を「複雑な外面形状を有するもの」とすることも可能となり、意匠性を高めることができ、付け替えの楽しみを増加させる。
【００１０】
これら本考案のボトルキャップ用装飾体は、さらに、以下の構成をも備えたものとすることができる。
（３）透明性を有する合成樹脂による一体成形品であること。
【００１１】
かかる構成をも採用することにより、装飾体部の空所に外から見える様に物品を収納することができ、収納した物品と装飾体部とによる斬新な意匠性を備えさせることや、内部の物品が動く様子から躍動的なな印象を与えたりすることも可能となる。
【００１２】
なお、本考案のボトルキャップ用装飾体は、くびれ部を備えているから、くびれ部よりも上方の空所によって「ボトルキャップの上面を底とする閉鎖空間」を形成することも可能である。従って、ボトルキャップと嵌合筒部とを接着剤で接着することにより、装飾体部の中に液体を封入することも可能である。
【考案の効果】
【００１３】
本考案によれば、付け替えが容易で軽量で物品の収納も可能なボトルキャップ用装飾体を提供することができる。
【図面の簡単な説明】
【００１４】
【図１】実施例１のボトルキャップ用装飾体を示し、（Ａ）は上方から見た斜視図、（Ｂ）は下方から見た斜視図、（Ｃ）は正面図、（Ｄ）は平面図、（Ｅ）は縦断面図、（Ｆ）はボトルキャップの正面図、（Ｇ）は一つの水平面で見たときの嵌合筒部の筒壁内面間の距離とボトルキャップの側壁外面間の距離の関係を示す水平断面図である。
【図２】実施例１のボトルキャップ用装飾体の使用状態を示し、（Ａ）は分解斜視図、（Ｂ）は装飾体を装着したボトルの斜視図である。
【図３】実施例１のボトルキャップ用装飾体の物品を収納した使用状態を示し、（Ａ）は分解斜視図、（Ｂ）は物品を収納した装飾体の斜視図、（Ｃ）は物品を収納した装飾体を装着したボトルの斜視図である。
【図４】変形例のボトルキャップ用装飾体を示し、（Ａ）は透明合成樹脂で成形した装飾体の斜視図、（Ｂ）は嵌合筒部の内面を着色した装飾体の斜視図、（Ｃ）は着色された合成樹脂で成形した装飾体の斜視図である。
【図５】実施例２のボトルキャップ用装飾体を示し、（Ａ）は上方から見た斜視図、（Ｂ）は下方から見た斜視図、（Ｃ）は使用状態の分解斜視図、（Ｄ）は装飾体を装着したボトルの平面図、（Ｅ）は装飾体を装着したボトルの斜視図である。
【図６】実施例３のボトルキャップ用装飾体を示し、（Ａ）は上方から見た斜視図、（Ｂ）は下方から見た斜視図、（Ｃ）は使用状態の分解斜視図、（Ｄ）は装飾体を装着したボトルの平面図、（Ｅ）は装飾体を装着したボトルの斜視図である。
【図７】実施例３のボトルキャップ用装飾体を示し、（Ａ）は上方から見た斜視図、（Ｂ）は下方から見た斜視図、（Ｃ）は使用状態の分解斜視図、（Ｄ）は装飾体を装着したボトルの平面図、（Ｅ）は装飾体を装着したボトルの斜視図である。
【図８】従来技術の説明図である。
【考案を実施するための形態】
【００１５】
以下、本考案を実施するための形態を実施例で説明する。
【実施例１】
【００１６】
実施例１のボトルキャップ用装飾体１０は、図１〜図３に示す様に、ボトルキャップ１に嵌合装着して用いる合成樹脂製の装飾体であって、以下の構成を備えている。
（Ａ）ボトルキャップ１の側壁外面に嵌合する嵌合筒部１１と、嵌合筒部１１の上端面からさらに上方に突出する装飾体部１２と、を備えていること（図１（Ａ）〜（Ｃ）参照。）。
（Ｂ）嵌合筒部１１の底から装飾体部１２の頂部まで１３ａ−１３ｂ−１３ｃと連続する空所を備え、中間部にある空所１３ｂは、装飾体部１２と嵌合筒部１１との接続部分において嵌合筒部の上端面１１ａよりも内側へ入り込んだくびれ部１４を構成していること（図１（Ｅ）参照。）。
（Ｃ）ボトルキャップ１に嵌合装着した状態にあっては、少なくとも一つの水平面で見たとき、嵌合筒部１１の筒壁１１ｂの内面間の距離ｄ１がボトルキャップ１の側壁１ａの外面間の距離ｄ２に対して「２×△ｄだけ小さくなる部分」が生じる様に、筒壁内面の全周に渡って直径方向に凹凸する凹凸模様１５が施されていること（図１（Ｇ）参照。）。
【００１７】
ここで、実施例１のボトルキャップ用装飾体１０は、さらに、以下の構成をも備えている。
（Ｄ）嵌合筒部１１及び装飾体部１２が、肉厚がほぼ一定の薄肉壁となる様に（図１（Ｅ）参照。）、透明性を有する合成樹脂を用いたダイレクトブローによる一体成形品であること（図１（Ａ），（Ｂ）参照）。
【００１８】
実施例１のボトルキャップ用装飾体１０は、図１（Ｅ），（Ｆ）に示す様に、ボトルキャップ１の側壁下部の突出部１ｃを受け入れる様に、嵌合筒部１１の下端に拡径部１６が形成されると共に、ボトルキャップ１の天板１ｂを当接状態で受け止める様に、嵌合筒部１１の上端に水平部１７を備えた内面形状を呈している。
【００１９】
実施例１のボトルキャップ用装飾体１０は、図２に示す様に、ボトル２の蓋として用いるボトルキャップ１に対して嵌合装着して用いる。通常の用い方としては、まず、ボトルキャップ１に対してボトルキャップ用装飾体１０を嵌合装着し、装飾体１０と一体化したボトルキャップ１を、ボトル２の首部のネジに螺合して蓋をし、化粧水などの内容物がこぼれない様にする。化粧水などの内容物を取り出して使用する場合は、装飾体１０と一体化させたままの状態のボットルキャップ１を緩めて取り外す。図２（Ｂ）から分かる様に、ボトルキャップ１と一体化させた装飾体１０の装飾体部１２の空所１３ｃは、ボトルキャップ１の天板１ａを底とする閉じた空間を形成する。
【００２０】
そこで、図３に示す様に、物品３を用意し、ボトルキャップ用装飾体１０を開口部を上にして内部に物品３を収納した上で、開口部を塞ぐ様にボトルキャップ１と嵌合装着すれば、図３（Ｂ）に示す様に、閉鎖空間となった空所１３ｃ内に物品３を収納した状態とすることができる。この物品３を収納した状態で、装飾体１０と一体化したボトルキャップ１を、ボトル２の首部のネジに螺合させて蓋をすれば、透明な合成樹脂で装飾体１０を構成しているので、図３（Ｃ）に示す様に、物品３を収納したことによる装飾効果を備えさせることもできる。なお、この物品３は、装飾体１０をボトルキャップ１から取り外すことにより、必要に応じて取り出すことができる。従って、例えば、「飲料水と共にサプリメントなどを携行する」といった用い方もできる。
【００２１】
次に、変形例を図４にて説明する。図４（Ａ）は、実施例１の装飾体１０であって、全体が透明な合成樹脂でダイレクトブロー成形されている。これに対し、図４（Ｂ）は、全体を透明が合成樹脂でダイレクトブロー成形した後、嵌合筒部１１の内面にアルミ蒸着による着色層ＡＬを備えさせた装飾体１０Ａを示している。この一部着色した装飾体１０Ａにおいても、装飾体部１２は透明なままであるから、空所１３ｃの内部が外から見え、物品等を収納して装飾性を高める用い方を実施できる。図４（Ｃ）は、着色した合成樹脂を用いてダイレクトブロー成形した装飾体１０Ｂを示している。全体を着色した装飾体１０Ｂは装飾体部１２の内側を視認することはできないが、物品等を収納する空所１３ａは確保されているから、サプリメント等の携行用として用いることができる。
【実施例２】
【００２２】
実施例２のボトルキャップ用装飾体２０は、図５に示す様に、ボトルキャップ１に嵌合装着して用いる合成樹脂製の装飾体であって、以下の構成を備えている。
（Ａ）ボトルキャップ１の側壁外面に嵌合する嵌合筒部２１と、嵌合筒部２１の上端面からさらに上方に突出する装飾体部２２と、を備えていること（図５（Ａ）〜（Ｅ）参照。）。
（Ｂ）嵌合筒部２１の底から装飾体部２２の頂部まで２３ａ−２３ｂ−２３ｃと連続する空所を備え、中間部にある空所２３ｂは、装飾体部２２と嵌合筒部２１との接続部分において嵌合筒部の上端面よりも内側へ入り込んだくびれ部２４を構成していること（図５（Ａ）〜（Ｅ）参照。）。
（Ｃ）ボトルキャップ１に嵌合装着した状態にあっては、少なくとも一つの水平面で見たとき、嵌合筒部２１の筒壁内面間の距離がボトルキャップ１の側壁外面間の距離に対して「所定量だけ小さくなる部分」が生じる様に、筒壁内面の全周に渡って直径方向に凹凸する凹凸模様２５が施されていること（図５（Ｂ）参照。）。
【００２３】
実施例２のボトルキャップ用装飾体２０は、さらに、以下の構成をも備えている。
（Ｄ）嵌合筒部２１及び装飾体部２２が、肉厚がほぼ一定の薄肉壁となる様に構成される様に、透明性を有する合成樹脂を用いたダイレクトブローによる一体成形品であること（図５（Ａ）〜（Ｅ）参照）。
【００２４】
実施例２のボトルキャップ用装飾体２０は、実施例１のものよりも外側に大きく張り出す「リボン様の装飾体部２２」を備える点で装飾性に差を持たせている以外は、概ね実施例１の装飾体１０と同様であり、その用い方も同様となる。即ち、通常の用い方としては、まず、ボトルキャップ１に対してボトルキャップ用装飾体２０を嵌合装着し、装飾体２０と一体化したボトルキャップ１を、ボトル２の首部のネジに螺合して蓋をし、化粧水などの内容物がこぼれない様にする。化粧水などの内容物を取り出して使用する場合は、装飾体２０と一体化させたままの状態のボットルキャップ１を緩めて取り外す。図５（Ｅ）から分かる様に、ボトルキャップ１と一体化させた装飾体２０の装飾体部２２の空所２３ｃは、ボトルキャップ１の天板１ｂを底とする閉じた空間を形成する。従って、物品を収納して携行したり、収納した物品による装飾性を楽しんだりすることができる。
【実施例３】
【００２５】
実施例３のボトルキャップ用装飾体３０は、図６に示す様に、ボトルキャップ４に嵌合装着して用いる合成樹脂製の装飾体であって、以下の構成を備えている。
（Ａ）ボトルキャップ４の側壁外面に嵌合する嵌合筒部３１と、嵌合筒部３１の上端面からさらに上方に突出する装飾体部３２と、を備えていること（図６（Ａ）〜（Ｅ）参照。）。
（Ｂ）嵌合筒部３１の底から装飾体部３２の頂部まで３３ａ−３３ｂ−３３ｃと連続する空所を備え、中間部にある空所３３ｂは、装飾体部３２と嵌合筒部３１との接続部分において嵌合筒部の上端面よりも内側へ入り込んだくびれ部３４を構成していること（図６（Ａ）〜（Ｅ）参照。）。
（Ｃ）ボトルキャップ４に嵌合装着した状態にあっては、少なくとも一つの水平面で見たとき、嵌合筒部３１の筒壁内面間の距離がボトルキャップ４の側壁外面間の距離に対して「所定量だけ小さくなる部分」が生じる様に、筒壁内面の全周に渡って直径方向に凹凸する凹凸模様３５が施されていること（図６（Ｂ）参照。）。
【００２６】
実施例３のボトルキャップ用装飾体３０は、さらに、以下の構成をも備えている。
（Ｄ）嵌合筒部３１及び装飾体部３２が、肉厚がほぼ一定の薄肉壁となる様に構成される様に、不透明色からなる合成樹脂を用いたダイレクトブローによる一体成形品であること（図６（Ａ）〜（Ｅ）参照）。
【００２７】
実施例３のボトルキャップ用装飾体３０は、実施例１，２のものに比べたとき、扁平な装飾体部３２を備えたものとなっているが、図６（Ｃ）に点線で示した範囲を連続する空所とし、装飾体部３２の内部を空所３３ｃとしている。物品の収納という点では不向きであるが、ボトル５に装飾性を持たせる点では同様の効果を発揮する。
【実施例４】
【００２８】
実施例４のボトルキャップ用装飾体４０は、図７に示す様に、ボトルキャップ４に嵌合装着して用いる合成樹脂製の装飾体であって、以下の構成を備えている。
（Ａ）ボトルキャップ４の側壁外面に嵌合する嵌合筒部４１と、嵌合筒部４１の上端面からさらに上方に突出する装飾体部４２と、を備えていること（図７（Ａ）〜（Ｅ）参照。）。
（Ｂ）嵌合筒部４１の底から装飾体部４２の頂部まで４３ａ−４３ｂ−４３ｃと連続する空所を備え、中間部にある空所４３ｂは、装飾体部４２と嵌合筒部４１との接続部分において嵌合筒部の上端面よりも内側へ入り込んだくびれ部４４を構成していること（図７（Ａ）〜（Ｅ）参照。）。
（Ｃ）ボトルキャップ４に嵌合装着した状態にあっては、少なくとも一つの水平面で見たとき、嵌合筒部４１の筒壁内面間の距離がボトルキャップ４の側壁外面間の距離に対して「所定量だけ小さくなる部分」が生じる様に、筒壁内面の全周に渡って直径方向に凹凸する凹凸模様４５が施されていること（図７（Ａ）参照。）。
【００２９】
実施例４のボトルキャップ用装飾体４０は、さらに、以下の構成をも備えている。
（Ｄ）嵌合筒部４１及び装飾体部４２が、肉厚がほぼ一定の薄肉壁となる様に構成される様に、透明性を有する合成樹脂を用いたダイレクトブローによる一体成形品であること（図７（Ａ）〜（Ｅ）参照）。
【００３０】
実施例４のボトルキャップ用装飾体４０は、実施例１，２と同様に透明性を有する合成樹脂を用いたダイレクトブローによる一体成形品であるから、装飾体部４２の空所４３ｃに物品６を収納して携行したり、収納した物品６よる装飾性を楽しんだりすることができる。
【００３１】
以上説明した各実施例のボトルキャップ用装飾体１０，２０，３０，４０は、いずれも嵌合筒部１１，２１，３１，４１から装飾体部１２，２２，３２，４２の頂部まで連続する空所を備え、嵌合筒部と装飾体部との接続部分１３ｂ，２３ｂ，３３ｂ，４３ｂにくびれ部１４，２４，３４，４４を備えさせたから、全体としての強度を高めつつ軽量化することができている。また、ボトルキャップ１，４に嵌合装着した状態にあっては、少なくとも一つの水平面で見たとき、嵌合筒部１１，２１，３１，４１の筒壁内面間の距離がボトルキャップ１，４の側壁外面間の距離よりも小さくなる様に、筒壁内面の全周に渡って直径方向に凹凸する凹凸模様１５，２５，３５，４５が施されているから、ボトルキャップ１，４に対してしっかりと嵌合させた状態に装着することができる。その一方、嵌合筒部１１，２１，３１，４１はボトルキャップ１，４の側壁外面に対して上述の寸法差によって周方向に伸ばそうとする力に対する反力をもって嵌合されただけであるから、これを取り外し、他の装飾体へと容易に付け替えることができる。また、実施例１，２，４の装飾体１０，２０，４０にあっては空所１３ａ，２３ａ，４３ａに物品を収納し、物品の携行と物品による装飾効果を楽しむことができる（図３，図７参照。）。なお、実施例３の装飾体３０にあっても、空所３３ｃが存在し、不透明な合成樹脂で成形されていることから内部が見えず、おみくじなどの紙片を収納するのに適する。
【００３２】
各実施例のボトルキャップ用装飾体１０，２０，３０，４０は、ダイレクトブローによる一体成形品であることから、嵌合筒部の凹凸模様１５，２５，３５，４５は、筒壁の内外共に同様の模様として現れる。つまり、凹凸模様１５，２５，３５，４５は、単に嵌合力を高めるためだけでなく、装飾としても機能するものとなっている。
【００３３】
また、各実施例のボトルキャップ用装飾体１０，２０，３０，４０は、（Ｄ）の構成をも備えさせることにより、ブロー成形による一体成形が可能となり、その結果、装飾体部１２，２２，３２，４２を「複雑な外面形状を有するもの」とすることも可能となり、意匠性を高めることができ、付け替えの楽しみを増加させる。
【００３４】
なお、実施例１，２，４のボトルキャップ用装飾体１０，２０，４０は、物品を収納可能な空所１３ｃ，２３ｃ，４３ｃを備えているから、くびれ部よりも上方の空所によって「ボトルキャップの上面を底とする閉鎖空間」を形成し、ボトルキャップと嵌合筒部とを接着剤で接着することにより、装飾体部の中に液体を封入することも可能である。
【００３５】
以上説明した各実施例によれば、付け替えが容易で軽量で物品の収納も可能なボトルキャップ用装飾体を提供することができる。
【００３６】
以上、本考案の実施例及び変形例について説明したが、本考案は上述した実施例に限られることなく、その要旨を逸脱しない範囲内において、さらに種々の態様にて実施することができる。
【産業上の利用可能性】
【００３７】
液体を収納するボトル等の装飾として利用することができる。
【符号の説明】
【００３８】
１，４・・・ボトルキャップ、２，５・・・ボトル、３，６・・・物品。
１０，１０Ａ，１０Ｂ，２０，３０，４０・・・ボトルキャップ用装飾体、１１，２１，３１，４１・・・嵌合筒部、１２，２２，３２，４２・・・装飾体部、１３ａ−１３ｂ−１３ｃ，２３ａ−２３ｂ−２３ｃ，３３ａ−３３ｂ−３３ｃ、４３ａ−４３ｂ−４３ｃ・・・空所、１４，２４，３４，４４・・・くびれ部、１５，２５，３５，４５・・・凹凸模様。
【図１】
0003228930.tif 000003
【図２】
0003228930.tif 000004
【図３】
0003228930.tif 000005
【図４】
0003228930.tif 000006
【図５】
0003228930.tif 000007
【図６】
0003228930.tif 000008
【図７】
0003228930.tif 000009
【図８】
0003228930.tif 000010